(57)【要約】【課題】携帯機器に対して確実に取り付け可能な携帯機器用クリップを提供する。【解決手段】携帯機器用クリップ１０は、アーチ部２０、第１係止部３０及び第２係止部４０を備えている。携帯機器用クリップ１０は、弾性変形可能な材料からなる。アーチ部２０は、第１端部２１から第２端部２２までアーチ状に湾曲する。第１係止部３０は、第１端部２１に設けられ、スマートフォン１に係止可能である。第２係止部４０は、第２端部２２に設けられ、スマートフォン１に係止可能である。第１係止部３０は、スマートフォン１の裏面１Ｂと当接する第１当接面３１Ａを有し、第２係止部４０は、スマートフォン１の裏面１Ｂと当接する第２当接面４１Ａを有している。【選択図】図３
2017022643.tif 000002
【特許請求の範囲】
【請求項１】
携帯機器に取り付けられる携帯機器用クリップであって、
弾性変形可能な材料からなり、第１方向の一方に位置する第１端部から前記第１方向の他方に位置する第２端部まで延び、前記第１端部と前記第２端部との中間に位置する中間部が前記第１方向に直交する第２方向の一方に向かって突出するように前記第１端部から前記第２端部までアーチ状に湾曲するアーチ部と、
弾性変形可能な材料からなって前記第１端部に設けられ、前記携帯機器に係止可能な第１係止部と、
弾性変形可能な材料からなって前記第２端部に設けられ、前記携帯機器に係止可能な第２係止部とを備え、
前記第１係止部は、前記携帯機器の裏面と当接する第１当接面を有し、
前記第２係止部は、前記携帯機器の前記裏面と当接する第２当接面を有することを特徴とする携帯機器用クリップ。
【請求項２】
前記アーチ部、前記第１係止部及び前記第２係止部は一体に成形されている請求項１記載の携帯機器用クリップ。
【請求項３】
前記第１係止部には、前記第１方向の他方に向かって突出し、前記第１当接面を有する第１支持壁が形成され、
前記第２係止部には、前記第１方向の一方に向かって突出し、前記第２当接面を有する第２支持壁が形成されている請求項１又は２記載の携帯機器用クリップ。
【請求項４】
前記中間部には、前記第１方向及び前記第２方向に直交する前記第３方向に延びるスリットが形成されている請求項１乃至３のいずれか１項記載の携帯機器用クリップ。
【請求項５】
前記中間部は、前記第１端部と前記第２端部とを直線状に結ぶ仮想線よりも、前記携帯機器の前記第２方向における厚みの１〜３倍突出している請求項１乃至４のいずれか１項記載の携帯機器用クリップ。
【請求項６】
前記第１係止部及び前記第２係止部は、前記携帯機器用クリップが前記携帯機器に取り付けられた状態において、前記携帯機器の表面よりも前記第２方向の他方に突出している請求項１乃至５のいずれか１項記載の携帯機器用クリップ。
【請求項７】
前記第１係止部及び前記第２係止部は、前記アーチ部と連続する外面を有している請求項１乃至６のいずれか１項記載の携帯機器用クリップ。
【発明の詳細な説明】
【技術分野】
【０００１】
本発明は携帯機器用クリップに関する。
【背景技術】
【０００２】
特許文献１に従来の携帯機器用クリップが開示されている。この携帯機器用クリップは、特許文献１の図５等に示されるように、ｉＰｈｏｎｅ（登録商標）等のスマートフォン、ＰＤＡ（Personal Digital Assistant）、タブレット端末、デジタルメディアプレーヤ等の携帯機器に取り付けられ、スタンドとして利用される。この携帯機器用クリップは、略Ｕ字形状に湾曲するＵ字部と、Ｕ字部の一端部に設けられた第１鉤部と、Ｕ字部の他端部に設けられた第２鉤部とを備えている。第１、２鉤部は、Ｕ字部の両端部から互いに接近するように屈曲している。Ｕ字部及び第１、２鉤部は、弾性変形可能な材料によって一体に成形されている。
【０００３】
この携帯機器用クリップは、第１鉤部と第２鉤部とが互いに離れるようにＵ字部が弾性変形し、復元力を蓄えた状態で第１、２鉤部が携帯機器の両側端縁を挟持することにより、携帯機器に取り付けられる。そして、その状態で、携帯機器がテーブル等に置かれると、携帯機器の裏面から離間するように延在するＵ字部が携帯機器に対して支持脚として機能し、携帯機器を起立した状態に保持する。
【先行技術文献】
【特許文献】
【０００４】
【特許文献１】実用新案登録公報第３１６６２９０号
【発明の概要】
【発明が解決しようとする課題】
【０００５】
しかし、上記従来の携帯機器用クリップは、Ｕ字部の復元力によって第１、２鉤部が携帯機器を挟持しているだけであるから、第１、２鉤部が携帯機器から離間するようにずれ易いという問題がある。このため、例えば、使用者が携帯機器に携帯機器用クリップを取り付けたまま持ち運ぶ場合等において、携帯機器用クリップが携帯機器に対して外れ易く、携帯機器が落下等して破損するおそれがある。
【０００６】
本発明は、上記従来の実情に鑑みてなされたものであって、携帯機器に対して確実に取り付け可能な携帯機器用クリップを提供することを解決すべき課題としている。
【課題を解決するための手段】
【０００７】
本発明の携帯機器用クリップは、携帯機器に取り付けられる携帯機器用クリップであって、
弾性変形可能な材料からなり、第１方向の一方に位置する第１端部から前記第１方向の他方に位置する第２端部まで延び、前記第１端部と前記第２端部との中間に位置する中間部が前記第１方向に直交する第２方向の一方に向かって突出するように前記第１端部から前記第２端部までアーチ状に湾曲するアーチ部と、
弾性変形可能な材料からなって前記第１端部に設けられ、前記携帯機器に係止可能な第１係止部と、
弾性変形可能な材料からなって前記第２端部に設けられ、前記携帯機器に係止可能な第２係止部とを備え、
前記第１係止部は、前記携帯機器の裏面と当接する第１当接面を有し、
前記第２係止部は、前記携帯機器の前記裏面と当接する第２当接面を有することを特徴とする。
【０００８】
本発明の携帯機器用クリップでは、アーチ部が第１方向の一方に位置する第１端部から第１方向の他方に位置する第２端部まで延びている。また、アーチ部は、第１端部と第２端部との中間に位置する中間部が第１方向に直交する第２方向の一方に向かって突出するように第１端部から第２端部までアーチ状に湾曲している。この携帯機器用クリップでは、アーチ部が開くように弾性変形して復元力を蓄えた状態で、第１係止部が携帯機器の一方の側端縁に係止され、第２係止部が携帯機器の他方の側端縁に係止されるため、第１、２係止部が携帯機器を第１方向において挟持する。この際、第１係止部の第１当接面が携帯機器の裏面と当接し、第２係止部の第２当接面が携帯機器の裏面と当接するため、第１、２係止部が携帯機器から離間するようにずれ難い。このため、例えば、使用者が携帯機器に携帯機器用クリップを取り付けたまま持ち運ぶ場合等においても、携帯機器用クリップが携帯機器に対して外れ難い。
【０００９】
したがって、本発明の携帯機器用クリップは、携帯機器に対して確実に取り付け可能である。
【００１０】
また、この携帯機器用クリップでは、使用者が携帯機器に携帯機器用クリップを取り付けて持ち運ぶ場合、携帯機器用クリップが手に引っ掛り易いので、携帯機器が使用者の手から滑り落ち難い。さらに、この携帯機器用クリップでは、例えば、アーチ部にストラップやチェーンを取り付け、ストラップの紐の間やチェーンに指を通して持ち運ぶこともできる。この場合、アーチ部がストラップの紐やチェーンに引っ張られると、第１、２係止部が互いに接近するように弾性変形し、携帯機器を第１方向においてより確実に挟持する。その結果、携帯機器の落下等による破損を抑制できる。
【００１１】
アーチ部、第１係止部及び第２係止部は一体に成形されていることが望ましい。この場合、各部を互いに組み付ける手間が不要である。また、製造コストの削減も可能である。
【００１２】
第１係止部には、第１方向の他方に向かって突出し、第１当接面を有する第１支持壁が形成されていることが望ましい。また、第２係止部には、第１方向の一方に向かって突出し、第２当接面を有する第２支持壁が形成されていることが望ましい。この場合、携帯機器用クリップが携帯機器に取り付けられる際、第１、２支持壁が弾性変形することにより、携帯機器用クリップが携帯機器の異なる機種間の厚みの相違を吸収できる。また、例えば、カード等が携帯機器の裏面に沿う状態で携帯機器に取り付けられる際も、第１、２支持壁が弾性変形し、そのカード等の厚みを吸収しながら、そのカード等を保持できる。このため、カードとして、ＩＣカードを採用すれば、例えば、通勤時の改札、ドアの開閉、レジの精算等を行う際に、ＩＣカードを財布等から取り出す必要なく、携帯機器用クリップに挟持されたＩＣカードをスキャナー等に当てるだけでそれらの処理を行うことができる。このため、使用者がこのように携帯機器用クリップを活用することにより、一層利便性が向上する。
【００１３】
中間部には、第１方向及び第２方向に直交する第３方向に延びるスリットが形成されていることが望ましい。この場合、スリットにカード、名刺等を差し込むことで、カード等が携帯機器用クリップの中間部に保持される。そして、そのカード等を支えにして、携帯機器をテーブル等の上に縦置き又は横置きで起立した状態に配置することができる。つまり、携帯機器用クリップを携帯機器用のスタンドの一部として活用することができる。この際、カード等とスリットとの角度を変更したり、携帯機器に対して携帯機器用クリップの位置を変更したりして、携帯機器の傾斜角度を自身の見易い角度に容易に調整することもできる。
【００１４】
中間部は、第１端部と第２端部とを直線状に結ぶ仮想線よりも、携帯機器の第２方向における厚みの１〜３倍突出していることが望ましい。この場合、携帯機器用クリップは携帯機器に取り付けられた状態で携帯機器から嵩張らないので、携帯機器用クリップを取り付けたままの携帯機器をポケット、カバン等に収容し易い。また、使用者が携帯機器の表面を上に向けた状態で携帯機器をテーブル等に寝かせて配置する場合、アーチ部がテーブル等に当接し、携帯機器を安定してテーブル等から浮いた状態にすることができる。このため、テーブル等との接触等によって携帯機器に傷が付くことを抑制できる。また、携帯機器がテーブルから浮いた状態にあるため、使用者は携帯機器を掴み易い。
【００１５】
第１係止部及び第２係止部は、携帯機器用クリップが携帯機器に取り付けられた状態において、携帯機器の表面よりも第２方向の他方に突出していることが望ましい。この場合、使用者が携帯機器の表面を下に向けた状態で携帯機器をテーブル等に寝かせて配置する場合、第１、２係止部がテーブル等に当接し、テーブル等との接触等によって携帯機器の表面に傷が付くことを抑制できる。
【００１６】
第１係止部及び第２係止部は、アーチ部と連続する外面を有していることが望ましい。この場合、使用者がこの携帯機器用クリップを持ち運ぶ際に、指や手の平が外面に対してなじみ易く、長時間携帯しても疲れ難い。
【発明の効果】
【００１７】
本発明の携帯機器用クリップは、携帯機器に対する確実な取り付けを実現できる。
【図面の簡単な説明】
【００１８】
【図１】図１は、実施例１の携帯機器用クリップを携帯機器に取り付けた状態を示す表側の斜視図である。
【図２】図２は、実施例１の携帯機器用クリップを携帯機器に取り付けた状態を示す裏面側の斜視図である。
【図３】図３は、実施例１の携帯機器用クリップの斜視図である。
【図４】図４は、実施例１の携帯機器用クリップの平面図である。
【図５】図５は、実施例１の携帯機器用クリップの正面図である。
【図６】図６は、実施例１の携帯機器用クリップを携帯機器に取り付けた状態を示す正面図である。
【図７】図７は、実施例１の携帯機器用クリップを携帯機器に取り付け、かつカードを携帯機器に取り付けた状態を示す正面図である。
【図８】図８は、実施例１の携帯機器用クリップを用いて、携帯機器を縦置きで起立した状態を示す側面図である。
【図９】図９は、実施例１の携帯機器用クリップを用いて、携帯機器とカードとの角度を変えて縦置きで起立した状態を示す側面図である。
【図１０】図１０は、実施例１の携帯機器用クリップを用いて、携帯機器を横置きで起立した状態を示す側面図である。
【図１１】図１１は、実施例１の携帯機器用クリップを用いて、携帯機器とカードとの角度を変えて縦置きで起立した状態を示す側面図である。
【図１２】図１２は、実施例１の携帯機器用クリップを携帯機器に取り付け、携帯機器用クリップの第１、２係止部を下側にしてテーブルに置いた状態を示す正面図である。
【図１３】図１３は、実施例２の携帯機器用クリップの正面図である。
【図１４】図１４は、実施例２の携帯機器用クリップの斜視図である。
【発明を実施するための形態】
【００１９】
以下、本発明を具体化した実施例１、２を図面を参照しつつ説明する。
【００２０】
（実施例１）
図１及び図２に示すように、実施例１の携帯機器用クリップ（以下、クリップという。）１０は、本発明の携帯機器用クリップの具体的態様の一例である。クリップ１０は、弾性変形可能な樹脂成形品からなり、一般に市販されているスマートフォン１に取り付けられる。特に、クリップ１０は、ｉＰｈｏｎｅ（登録商標）４、５の取り付けに適している。スマートフォン１は、本発明の「携帯機器」の一例である。
【００２１】
本実施例では、スマートフォン１とクリップ１０との方向を説明するため、次のように規定する。図１に示すように、使用者がスマートフォン１の表面１Ａを見る場合を基準として、スマートフォン１の幅方向をクリップ１０の第１方向Ａ１−Ａ２と規定し、スマートフォン１の厚さ方向をクリップ１０の第２方向Ｂ１−Ｂ２と規定し、スマートフォン１の長手方向をクリップ１０の第３方向Ｃ１−Ｃ２と規定する。
【００２２】
図３〜図５に示すように、クリップ１０は、アーチ部２０と、第１係止部３０と、第２係止部４０とを備えている。アーチ部２０、第１係止部３０及び第２係止部４０は、各部が湾曲体をなしている。そして、クリップ１０では、アーチ部２０、第１係止部３０及び第２係止部４０が一体に成形されている。図１及び図２に示すように、第１係止部３０及び第２係止部４０は、第１方向Ａ１−Ａ２において、スマートフォン１の両側端縁をそれぞれ係止する。
【００２３】
図３及び図４に示すように、アーチ部２０は、第１端部２１、第２端部２２及び中間部２３を有している。
【００２４】
第１端部２１は、アーチ部２０の第１方向Ａ１−Ａ２のＡ１側に位置し、第１係止部３０と連続している。第２端部２２は、アーチ部２０の第１方向Ａ１−Ａ２のＡ２側に位置し、第２係止部４０と連続している。中間部２３は、第１端部２１と第２端部２２との中間に位置し、第１方向Ａ１−Ａ２に直交する第２方向Ｂ１−Ｂ２のＢ１側に向かって突出するように湾曲している。こうして、中間部２３は、第１端部２１から第２端部２２までアーチ状に湾曲している。
【００２５】
図３及び図５に示すように、中間部２３には、第１方向Ａ１−Ａ２及び第２方向Ｂ１−Ｂ２に直交する第３方向Ｃ１−Ｃ２のＣ１側に第１面２３Ａが形成され、Ｃ２側に第２面２３Ｂが形成されている。第１面２３Ａは第３方向Ｃ１−Ｃ２のＣ２側に凹むように湾曲した面をなし、第２面２３Ｂは平らな面をなしている。
【００２６】
中間部２３の中心部には、補強部２４が形成されている。補強部２４は、扁平な略長方体をなして、第２方向Ｂ１−Ｂ２のＢ２側に向かって突出するとともに、第３方向Ｃ１−Ｃ２に延在している。補強部２４には、中間部２３の第２面２３Ｂから第３方向Ｃ１−Ｃ２のＣ１側に延びるスリット２５が形成されている。スリット２５は、その切り口が０．５ｍｍ〜１．０ｍｍ程度の幅であって、第３方向Ｃ１−Ｃ２のＣ１側に延びるにつれて幅が徐々に狭くなっている。
【００２７】
図４に示すように、中間部２３は、第１端部２１と第２端部２２とを直線状に結ぶ仮想線Ｋよりも、スマートフォン１の第２方向Ｂ１−Ｂ２における厚みＷと同程度にＢ１側に突出している。
【００２８】
図３及び図４に示すように、第１係止部３０は、アーチ部２０の第１端部２１から第２方向Ｂ１−Ｂ２のＢ２側に向かって湾曲しながら延びている。第１係止部３０には、第１支持壁３１と第１湾曲部３２とが形成されている。
【００２９】
図３及び図５に示すように、第１支持壁３１は、第１端部２１から第２方向Ｂ１−Ｂ２のＢ２側に僅かに傾斜しながら第１方向Ａ１−Ａ２のＡ２側に向かって突出している。第１支持壁３１は、第１当接面３１Ａを有している。第１当接面３１Ａは、第１方向Ａ１−Ａ２及び第３方向Ｃ１−Ｃ２に延在する平面である。図２に示すように、第１当接面３１Ａは、第１方向Ａ１−Ａ２のＡ１側において、スマートフォン１の裏面１Ｂの一部と当接する。
【００３０】
図３及び図４に示すように、第１係止部３０は、アーチ部２０と連続する外面３０Ａを形成している。より具体的には、第１湾曲部３２は、アーチ部２０の第１端部２１から連続して、第２方向Ｂ１−Ｂ２のＢ２側に位置する第１湾曲端部３３まで延びている。そして、第１湾曲部３２は、第１方向Ａ１−Ａ２のＡ１側に向かって湾曲している。
【００３１】
第１湾曲端部３３は、第３方向Ｃ１−Ｃ２の延びる略円柱体を形成している。図１に示すように、第１湾曲端部３３は、第１方向Ａ１−Ａ２のＡ１側において、スマートフォン１の表面１Ａの一部と当接する。そして、図１及び図６に示すように、クリップ１０がスマートフォン１のＡ１側の側端縁に取り付けられた状態において、スマートフォン１の表面１Ａよりも第２方向Ｂ１−Ｂ２のＢ２側に突出している。
【００３２】
第１当接面３１Ａがスマートフォン１の裏面１Ｂの一部と当接し、第１湾曲端部３３がスマートフォン１の表面１Ａの一部と当接することにより、第１係止部３０は、第１方向Ａ１−Ａ２のＡ１側において、スマートフォン１を係止する。
【００３３】
図３及び図４に示すように、第２係止部４０は、アーチ部２０の第２端部２２から第２方向Ｂ１−Ｂ２のＢ２側に向かって湾曲しながら延びている。第２係止部４０には、第２支持壁４１と第２湾曲部４２とが形成されている。
【００３４】
図３及び図５に示すように、第２支持壁４１は、第２端部２２から第２方向Ｂ１−Ｂ２のＢ２側に僅かに傾斜しながら第１方向Ａ１−Ａ２のＡ１側に向かって突出している。第２支持壁４１は、第２当接面４１Ａを有している。第２当接面４１Ａは、第１方向Ａ１−Ａ２及び第３方向Ｃ１−Ｃ２に延在する平面である。図２に示すように、第２当接面４１Ａは、第１方向Ａ１−Ａ２のＡ２側において、スマートフォン１の裏面１Ｂの一部と当接する。
【００３５】
図３及び図４に示すように、第２係止部４０は、アーチ部２０と連続する外面４０Ａを形成している。より具体的には、第２湾曲部４２は、アーチ部２０の第２端部２２から連続して、第２方向Ｂ１−Ｂ２のＢ２側に位置する第２湾曲端部４３まで延びている。そして、第２湾曲部４２は、第１方向Ａ１−Ａ２のＡ２側に向かって湾曲している。
【００３６】
第２湾曲端部４３は、第３方向Ｃ１−Ｃ２の延びる略円柱体を形成している。図１に示すように、第２湾曲端部４３は、第１方向Ａ１−Ａ２のＡ２側において、スマートフォン１の表面１Ａの一部と当接する。そして、図１及び図６に示すように、クリップ１０がスマートフォン１のＡ２側の側端縁に取り付けられた状態において、スマートフォン１の表面１Ａよりも第２方向Ｂ１−Ｂ２のＢ２側に突出している。
【００３７】
第２当接面４１Ａがスマートフォン１の裏面１Ｂの一部と当接し、第２湾曲端部４３がスマートフォン１の表面１Ａの一部と当接することにより、第２係止部４０は、第１方向Ａ１−Ａ２のＡ２側において、スマートフォン１を係止する。
【００３８】
図６に示すように、実施例１のクリップ１０では、アーチ部２０が開くように弾性変形して復元力を蓄えた状態で、第１方向Ａ１−Ａ２のＡ１側において、第１係止部３０がスマートフォン１のＡ１側の側端縁に係止され、第２係止部４０がスマートフォン１のＡ２側の側端縁に係止される。この際、第１、２係止部３０、４０は、その復元力によって第１方向Ａ１−Ａ２に互いに接近するように付勢されて、スマートフォン１を挟持する。さらに、第１係止部３０の第１当接面３１Ａがスマートフォン１の裏面１Ｂの一部と当接し、第２係止部４０の第２当接面４１Ａがスマートフォン１の裏面１Ｂの一部と当接する。このため、スマートフォン１が第１、２係止部３０、４０から離間するようにずれ難い。このため、例えば、使用者がスマートフォン１にクリップ１０を取り付けたまま持ち運ぶ場合等においても、クリップ１０がスマートフォン１に対して外れ難い。
【００３９】
したがって、実施例１のクリップ１０は、スマートフォン１に対して確実に取り付け可能である。
【００４０】
また、クリップ１０では、使用者がスマートフォン１にクリップ１０を取り付けたまま持ち運ぶ場合、クリップ１０は手に引っ掛り易いので、スマートフォン１が使用者の手から滑り落ち難い。さらに、クリップ１０では、例えば、アーチ部２０にストラップやチェーンを取り付け、ストラップの紐の間やチェーンに指を通して持ち運ぶこともできる。この場合、アーチ部２０がストラップの紐やチェーンに引っ張られると、第１、２係止部３０、４０が第１方向Ａ１−Ａ２において互いに接近するように弾性変形し、スマートフォン１を第１方向Ａ１−Ａ２においてより確実に挟持する。その結果、スマートフォン１の落下等による破損を抑制できる。
【００４１】
また、クリップ１０では、アーチ部２０、第１係止部３０及び第２係止部４０が一体に成形されているため、各部を互いに組み付ける手間が不要である。また、クリップ１０の製造コストの削減も可能である。
【００４２】
また、第１係止部３０には、第１方向Ａ１−Ａ２のＡ２側に向かって突出し、第１当接面３１Ａを有する第１支持壁３１が形成されている。また、第２係止部４０にも、第１方向Ａ１−Ａ２のＡ１側の一方に向かって突出し、第２当接面４１Ａを有する第２支持壁４１が形成されている。この場合、クリップ１０がスマートフォン１に取り付けられる際、第１、２支持壁３１、４１が弾性変形することにより、クリップ１０がスマートフォンの異なる機種間の厚みの相違を吸収できる。
【００４３】
さらに、図７に示すように、例えば、カード６０がスマートフォン１の裏面１Ｂに沿う状態でスマートフォン１に取り付けられる際も、第１、２支持壁３１、４１が弾性変形し、そのカード６０の厚みを吸収しながら、そのカード６０を保持できる。このため、カードとして、ＩＣカードを採用すれば、例えば、通勤時の改札、ドアの開閉、レジの精算等を行う際に、ＩＣカードを財布等から取り出す必要なく、クリップ１０に挟持されたＩＣカードをスキャナー等に当てるだけでそれらの処理を行うことができる。このため、使用者がこのようにクリップ１０を活用することにより、一層利便性が向上する。
【００４４】
また、図３等に示すように、中間部２３には、第３方向Ｃ１−Ｃ２のＣ１側に延びるスリット２５が形成されている。この場合、図９〜図１１に示すように、スリット２５にカード６０の一部分を差し込むことで、カード６０がクリップ１０の中間部２３に保持される。そして、カード６０を支えにして、スマートフォン１をテーブル７０の上に縦置き（図９及び図１１参照）又は横置き（図１０参照）で起立した状態に配置することができる。つまり、クリップ１０は、スマートフォン１用のスタンドの一部として活用することもできる。この際、図９及び図１１に示すように、カード６０とスリット２５との角度を変更したり、図８に示すように、スマートフォン１に対して、第３方向Ｃ１−Ｃ２のＣ２側にクリップ１０の位置を変更したりして、使用者はスマートフォン１の傾斜角度を自身の見易い角度に容易に調整することもできる。
【００４５】
図４に示すように、中間部２３は、第１端部２１と第２端部２２とを直線状に結ぶ仮想線Ｋよりも、スマートフォン１の第２方向Ｂ１−Ｂ２における厚みＷと同程度に突出している。このため、クリップ１０は、スマートフォン１に取り付けられた状態でスマートフォン１から嵩張らないので、クリップ１０を取り付けたままのスマートフォン１をポケットやカバン等に収容し易い。
【００４６】
また、図７に示すように、使用者がスマートフォン１の表面１Ａを第２方向Ｂ１−Ｂ２のＢ２側に向けた状態でスマートフォン１をテーブル７０に寝かせて配置する場合、アーチ部２０がテーブル７０に当接し、スマートフォン１を安定してテーブル７０から浮いた状態にすることができる。このため、テーブル７０との接触等によってスマートフォン１に傷が付くことを抑制できる。また、スマートフォン１がテーブル７０から浮いた状態にあるため、使用者はスマートフォン１を掴み易い。
【００４７】
図１２に示すように、第１係止部３０の第１湾曲端部３３及び第２係止部４０の第２湾曲端部４３は、クリップ１０がスマートフォン１に取り付けられた状態において、スマートフォン１の表面１Ａよりも第２方向Ｂ１−Ｂ２のＢ２側に突出している。このため、使用者がスマートフォン１の表面１ＡをＢ２側に向けた状態でスマートフォン１をテーブル７０に寝かせて配置する場合、第１、２湾曲端部３３、４３がテーブル７０に当接し、テーブル７０との接触等によってスマートフォン１の表面１Ａに傷が付くことを抑制できる。
【００４８】
図３等に示すように、第１係止部３０及び第２係止部４０は、アーチ部２０と連続する外面３０Ａ、４０Ａを有している。このため、使用者がクリップ１０を持ち運ぶ際に、指や手の平が外面３０Ａ、４０Ａに対してなじみ易く、長時間携帯しても疲れ難い。
【００４９】
クリップ１０では、第１端部２１と第１支持壁３１との角部及び第２端部２２と第２支持壁４１との角部に、スマートフォン１に取り付けられたイヤホンのコードを挟み込ませることにより、イヤホンのコードをこれらの角部に固定することができる。また、図８に示すように、クリップ１０は、中間部２３にストラップ５０等のアクセサリーを取り付けたりすることができる。
【００５０】
（実施例２）
図１３及び図１４に示すように、実施例２のクリップ１００は、一般に市販されているタブレットの取り付けに適している。このクリップ１００は、実施例１のクリップ１０と比較して、第１方向Ａ１−Ａ２に長い幅広の形状をなしている。実施例２のその他の構成は、実施例１と同様である。
【００５１】
クリップ１００は、タブレットの裏面一部を覆うようにタブレットの両側端縁に取り付けられる。また、使用者は、クリップ１００をタブレットに取り付けて持ち運んだりすること等が可能である。タブレットも、本発明の「携帯機器」の一例である。このため、このクリップ１００でも、実施例１のクリップ１０と同様の作用効果を奏することができる。
【００５２】
以上において、本発明を実施例１、２に即して説明したが、本発明は上記実施例１、２に制限されるものではなく、その趣旨を逸脱しない範囲で適宜変更して適用できることはいうまでもない。
【００５３】
実施例１では、アーチ部２０、第１係止部３０及び第２係止部４０は、一体に成形されているが、この構成に限定されない。例えば、アーチ部２０、第１係止部３０及び第２係止部４０は、それぞれ別体に成形されてもよい。
【００５４】
また、クリップ１０、１００は、弾性変形可能な樹脂成形品としているが、この構成に限定されない。例えば、クリップは、金属、合成ゴム等の素材から構成されてもよいし、アーチ部２０、第１係止部３０及び第２係止部４０ごとに異なる素材から構成されてもよい。
【産業上の利用可能性】
【００５５】
本発明は携帯機器用クリップに利用可能である。
【符号の説明】
【００５６】
１…スマートフォン（携帯機器）
１Ａ…スマートフォンの表面（携帯機器の表面）
１Ｂ…スマートフォンの裏面（携帯機器の裏面）
１０、１００…携帯機器用クリップ
２０…アーチ部
２１…第１端部
２２…第２端部
２３…中間部
２５…スリット
３０…第１係止部
３１…第１支持壁
３１Ａ…第１当接面
４０…第２係止部
４１…第２支持壁
４１Ａ…第２当接面
３０Ａ、４０Ａ…外面
Ａ１−Ａ２…第１方向
Ｂ１−Ｂ２…第２方向
Ｃ１−Ｃ２…第３方向
Ｋ…仮想線
Ｗ…スマートフォンの第２方向における厚み（携帯機器の第２方向における厚み）
【図１】
2017022643.tif 000003
【図２】
2017022643.tif 000004
【図３】
2017022643.tif 000005
【図４】
2017022643.tif 000006
【図５】
2017022643.tif 000007
【図６】
2017022643.tif 000008
【図７】
2017022643.tif 000009
【図８】
2017022643.tif 000010
【図９】
2017022643.tif 000011
【図１０】
2017022643.tif 000012
【図１１】
2017022643.tif 000013
【図１２】
2017022643.tif 000014
【図１３】
2017022643.tif 000015
【図１４】
2017022643.tif 000016